(57)【特許請求の範囲】
【請求項１】
冷房機能及び除湿機能の少なくとも一方を有する空気調和機の室外機ユニットであって、
屋外の空気を送風するファンモータと、
冷媒を圧縮する圧縮機と、
前記ファンモータを制御するファンモータ制御部及び前記圧縮機を制御する圧縮機制御部を備えるコントローラと、を有し、
前記圧縮機制御部は、前記ファンモータ制御部の指令値が第１閾値回転数以上であり、所定時間連続して前記ファンモータの回転数が指令値の回転数よりも第１設定回転数分低い回転数であり、かつ、前記圧縮機の目標回転数が制限回転数以上である制限条件を満たす場合、前記圧縮機の回転数を低下させ前記制限回転数で回転させることを特徴とする室外機ユニット。
【請求項２】
前記圧縮機制御部は、前記ファンモータ制御部の指令値が第１閾値回転数よりも低い第２閾値回転数以下である、前記圧縮機の目標回転数が制限回転数未満である、前記圧縮機を停止する、所定時間連続して前記ファンモータの回転数が指令値の回転数よりも第２設定回転数分低い回転数であるのいずれかを満たす場合、前記圧縮機を前記制限回転数で回転させる制御を解除し、
前記第２設定回転数は、前記第１設定回転数よりも低い回転数であることを特徴とする請求項１に記載の室外機ユニット。
【請求項３】
前記制限条件は、前記ファンモータ制御部の指令値の回転数が最大回転数の９０％以上であり、所定時間連続して前記ファンモータの回転数が最大回転数の８８％以下であり、かつ、前記圧縮機の目標回転数が制限回転数以上であることを含むことを特徴とする請求項１または２に記載の室外機ユニット。
【請求項４】
冷房機能及び除湿機能の少なくとも一方を有する空気調和機の室外機ユニットであって、
屋外の空気を送風するファンモータと、
冷媒を圧縮する圧縮機と、
前記ファンモータを制御するファンモータ制御部及び前記圧縮機を制御する圧縮機制御部を備えるコントローラと、を有し、
前記圧縮機制御部は、前記ファンモータ制御部の指令値の回転数が最大回転数の９０％以上であり、所定時間連続して前記ファンモータの回転数が最大回転数の８８％以下であり、かつ、前記圧縮機の目標回転数が制限回転数以上である制限条件を満たす場合、前記圧縮機の回転数を低下させ前記制限回転数で回転させることを特徴とする室外機ユニット。
【請求項５】
前記圧縮機制御部は、前記ファンモータ制御部の指令値が最大回転数の８０％以下である、前記圧縮機の目標回転数が制限回転数未満である、前記圧縮機を停止する、所定時間連続して前記ファンモータの回転数が最大回転数の８９％以上であるのいずれかを満たす解除条件を満たした場合、前記圧縮機を前記制限回転数で回転させる制御を解除することを特徴とする請求項３または４に記載の室外機ユニット。
【請求項６】
前記ファンモータは、前記ファンモータの動作を制御するファンモータ側制御部を有し、
前記ファンモータ制御部は、前記ファンモータの負荷が高くなった場合ファンモータの動作を低減させる保護機能を実行する過負荷保護部を有し、
前記制限条件は、前記過負荷保護部の前記保護機能が実行されていることを含むことを特徴とする請求項１から５のいずれか一項に記載の室外機ユニット。
【請求項７】
冷房機能及び除湿機能の少なくとも一方を有する冷房機能を有する空気調和機の室外機ユニットであって、
屋外の空気を送風するファンモータと、
冷媒を圧縮する圧縮機と、
前記ファンモータを制御するファンモータ制御部及び前記圧縮機を制御する圧縮機制御部を備えるコントローラと、を有し、
前記ファンモータは、前記ファンモータの動作を制御するファンモータ側制御部を有し、
前記ファンモータ制御部は、前記ファンモータの負荷が高くなった場合ファンモータの動作を低減させる保護機能を実行する過負荷保護部を有し、
前記圧縮機制御部は、前記過負荷保護部の前記保護機能が実行されているという制限条件を満たす場合、前記圧縮機の回転数を低下させ前記制限回転数で回転させることを特徴とする室外機ユニット。
【請求項８】
前記圧縮機制御部は、前記過負荷保護部の前記保護機能が解除された場合、前記圧縮機を前記制限回転数で回転させる制御を解除することを特徴とする請求項６または７に記載の室外機ユニット。
【請求項９】
外気温を検出する外気温センサをさらに有し、
前記制限条件は、他の条件に加え、前記外気温センサで検出した外温度が閾値温度以上であることを含むことを特徴とする請求項１から８のいずれか一項に記載の室外機ユニット。
【請求項１０】
前記制限条件は、他の条件に加え、室内機ユニットが冷房運転及び除湿運転の少なくとも一方で運転されていることを含むことを特徴とする請求項１から９のいずれか一項に記載の室外機ユニット。
【発明の詳細な説明】
【技術分野】
【０００１】
本発明は、空気調和機の室外機ユニットに関する。
【背景技術】
【０００２】
例えば、空気調和機は、室内機ユニットと、室外機ユニットと、操作部と、を有する。室外機ユニットは、室内機ユニットで室内を冷房している場合、冷媒を冷却する機構であり、熱交換器、圧縮機、ファンがついたモータであるファンモータ等を有する。室外機ユニット内の熱交換器は、凝縮器として機能するため室外に放熱する。また、室外機ユニット内の圧縮機は、駆動中に発熱する。また、室外機ユニット内のファンモータは、駆動中にモータが発熱する。このため、室外機ユニットは、発熱して温度が上昇し易く、温度上昇により、各部に不具合が生じる恐れが出る。そのため、室外機ユニットは、温度の上昇を抑制するために各種機能を備えている。
【０００３】
例えば、特許文献１には、室外機及び室内機の運転中に、室外ファンを駆動するファン駆動系の発熱体が所定温度以上となったとき、制御装置が室外機の運転能力を低下させる空気調和装置が記載されている。
【０００４】
特許文献２には、ファンモータの異常を検知するファンモータ異常検知部と、ファンモータの異常を検知した場合に、当該ファンモータの回転数を垂下させる信号であるファンモータ垂下フラグを作成するファンモータ垂下フラグ作成部と、前記ファンモータを制御し、前記ファンモータ垂下フラグが作成された場合に、ファンモータの回転数を垂下させるファンモータ制御部と、通常運転時に圧縮機の回転数を制御し、ファンモータ垂下フラグが作成された場合には、ファンモータ制御部によって垂下されたファンモータ回転数に応じて圧縮機の回転数制御を行う圧縮機制御部と、を備える空気調和機が記載されている。
【先行技術文献】
【特許文献】
【０００５】
【特許文献１】特開平１１−２１８３５２号公報
【特許文献２】特開２０１０−１７５１９４号公報
【発明の概要】
【発明が解決しようとする課題】
【０００６】
特許文献１に記載の装置のように、サーミスタ等の温度検出部での検出結果に基づいて、温度が高くなった場合、室外機の運転能力を低下させ、室外機の発熱量を低下させることで、温度上昇を抑制する方法では、実際に温度が上昇してからの動作となり温度を低下させる制御を実行してから温度が低下するまでに時間が必要となり、その間で温度がさらに上昇してしまい、機器に負担が生じる。また、特許文献２に記載の装置は、通常運転時についても運転電流を制限する必要が生じるため、室外機ユニットとしての性能が低下してしまう。
【０００７】
本発明は上述した課題を解決するものであり、パワーデバイスを保護しつつ、室外機ユニットの性能の低減を抑制することができる室外機ユニットを提供することを目的とする。
【課題を解決するための手段】
【０００８】
上述の目的を達成するために、本発明は、冷房機能及び除湿機能の少なくとも一方を有する空気調和機の室外機ユニットであって、屋外の空気を送風するファンモータと、冷媒を圧縮する圧縮機と、前記ファンモータを制御するファンモータ制御部及び前記圧縮機を制御する圧縮機制御部を備えるコントローラと、を有し、前記圧縮機制御部は、前記ファンモータ制御部の指令値が第１閾値回転数以上であり、所定時間連続して前記ファンモータの回転数が指令値の回転数よりも第１設定回転数分低い回転数であり、かつ、前記圧縮機の目標回転数が制限回転数以上である制限条件を満たす場合、前記圧縮機の回転数を低下させ前記制限回転数で回転させることを特徴とする。
【０００９】
室外機ユニットは、上記構成により、ファンモータの回転数、指令値とのずれが制限条件を満たす場合、圧縮機の回転数を低下させる制御を行うことができる。パワーデバイスを保護しつつ、室外機ユニットの性能の低減を抑制することができる。
【００１０】
また、前記圧縮機制御部は、前記ファンモータ制御部の指令値が第１閾値回転数よりも低い第２閾値回転数以下である、前記圧縮機の目標回転数が制限回転数未満である、前記圧縮機を停止する、所定時間連続して前記ファンモータの回転数が指令値の回転数よりも第２設定回転数分低い回転数であるのいずれかを満たす場合、前記圧縮機を前記制限回転数で回転させる制御を解除し、前記第２設定回転数は、前記第１設定回転数よりも低い回転数であることが好ましい。
【００１１】
室外機ユニットは、上記構成により、パワーデバイスを保護しつつ、運転能力を高くすることができる。
【００１２】
また、前記制限条件は、前記ファンモータ制御部の指令値の回転数が最大回転数の９０％以上であり、所定時間連続して前記ファンモータの回転数が最大回転数の８８％以下であり、かつ、前記圧縮機の目標回転数が制限回転数以上であることを含むことが好ましい。
【００１３】
室外機ユニットは、上記構成により、ファンモータの回転数の割合、指令値との割合のずれが制限条件を満たす場合、圧縮機の回転数を低下させる制御を行うことができる。パワーデバイスを保護しつつ、室外機ユニットの性能の低減を抑制することができる。
【００１４】
上述の目的を達成するために、本発明は、冷房機能及び除湿機能の少なくとも一方を有する空気調和機の室外機ユニットであって、屋外の空気を送風するファンモータと、冷媒を圧縮する圧縮機と、前記ファンモータを制御するファンモータ制御部及び前記圧縮機を制御する圧縮機制御部を備えるコントローラと、を有し、前記圧縮機制御部は、前記ファンモータ制御部の指令値の回転数が最大回転数の９０％以上であり、所定時間連続して前記ファンモータの回転数が最大回転数の８８％以下であり、かつ、前記圧縮機の目標回転数が制限回転数以上である制限条件を満たす場合、前記圧縮機の回転数を低下させ前記制限回転数で回転させることを特徴とする。
【００１５】
室外機ユニットは、上記構成により、ファンモータの回転数の割合、指令値との割合のずれが制限条件を満たす場合、圧縮機の回転数を低下させる制御を行うことができる。パワーデバイスを保護しつつ、室外機ユニットの性能の低減を抑制することができる。
【００１６】
また、前記圧縮機制御部は、前記ファンモータ制御部の指令値が最大回転数の８０％以下である、前記圧縮機の目標回転数が制限回転数未満である、前記圧縮機を停止する、所定時間連続して前記ファンモータの回転数が最大回転数の８９％以上であるのいずれかを満たす解除条件を満たした場合、前記圧縮機を前記制限回転数で回転させる制御を解除することが好ましい。
【００１７】
室外機ユニットは、上記構成により、パワーデバイスを保護しつつ、運転能力を高くすることができる。
【００１８】
また、前記ファンモータは、前記ファンモータの動作を制御するファンモータ側制御部を有し、前記ファンモータ制御部は、前記ファンモータの負荷が高くなった場合ファンモータの動作を低減させる保護機能を実行する過負荷保護部を有し、前記制限条件は、前記過負荷保護部の前記保護機能が実行されていることを含むことが好ましい。
【００１９】
室外機ユニットは、上記構成により、過負荷保護部の動作に対応して、圧縮機の回転数を低下させる制御を行うことができる。パワーデバイスを保護しつつ、室外機ユニットの性能の低減を抑制することができる。
【００２０】
上述の目的を達成するために、本発明は、また、冷房機能及び除湿機能の少なくとも一方を有する冷房機能を有する空気調和機の室外機ユニットであって、屋外の空気を送風するファンモータと、冷媒を圧縮する圧縮機と、前記ファンモータを制御するファンモータ制御部及び前記圧縮機を制御する圧縮機制御部を備えるコントローラと、を有し、前記ファンモータは、前記ファンモータの動作を制御するファンモータ側制御部を有し、前記ファンモータ制御部は、前記ファンモータの負荷が高くなった場合ファンモータの動作を低減させる保護機能を実行する過負荷保護部を有し、前記圧縮機制御部は、前記過負荷保護部の前記保護機能が実行されているという制限条件を満たす場合、前記圧縮機の回転数を低下させ前記制限回転数で回転させることを特徴とする。
【００２１】
室外機ユニットは、上記構成により、過負荷保護部の動作に対応して、圧縮機の回転数を低下させる制御を行うことができる。パワーデバイスを保護しつつ、室外機ユニットの性能の低減を抑制することができる。
【００２２】
また、前記圧縮機制御部は、前記過負荷保護部の前記保護機能が解除された場合、前記圧縮機を前記制限回転数で回転させる制御を解除することが好ましい。
【００２３】
室外機ユニットは、上記構成により、パワーデバイスを保護しつつ、運転能力を高くすることができる。
【００２４】
また、外気温を検出する外気温センサをさらに有し、前記制限条件は、他の条件に加え、前記外気温センサで検出した外温度が閾値温度以上であることを含むことが好ましい。
【００２５】
室外機ユニットは、上記構成により、圧縮機の回転数の制限が必要な状態であるかをより高い精度で判定することができる。
【００２６】
また、前記制限条件は、他の条件に加え、室内機ユニットが冷房運転及び除湿運転の少なくとも一方で運転されていることを含むことが好ましい。
【００２７】
室外機ユニットは、上記構成により、圧縮機の回転数の制限が必要な状態であるかをより高い精度で判定することができる。
【発明の効果】
【００２８】
本発明によれば、制限条件を満たす場合、圧縮機の回転数を低下させる制御を行うことで、パワーデバイスを保護しつつ、室外機ユニットの性能の低減を抑制することができる。
【図面の簡単な説明】
【００２９】
【図１】図１は、本実施形態の室外機ユニットを有する空気調和機の概略構成を示すブロック図である。
【図２】図２は、ファンモータの回転の制御の一例を説明するための説明図である。
【図３】図３は、サーミスタ温度と過電流制御値との関係を示すグラフである。
【図４】図４は、低下回転数、低下能力と過電流制御値との関係を示すグラフである。
【図５】図５は、室外機ユニットの制御動作の一例を示すフローチャートである。
【図６】図６は、室外機ユニットの制御動作の一例を示すフローチャートである。
【図７】図７は、室外機ユニットの制御動作の一例を示すフローチャートである。
【図８】図８は、室外機ユニットの制御動作の一例を示すフローチャートである。
【図９】図９は、室外機ユニットの制御動作の一例を示すフローチャートである。
【図１０】図１０は、室外機ユニットの制御動作の一例を示すフローチャートである。
【図１１】図１１は、室外機ユニットの制御動作の一例を示すフローチャートである。
【図１２】図１２は、室外機ユニットの制御動作の一例を示すフローチャートである。
【発明を実施するための形態】
【００３０】
以下に、本発明に係る実施形態を図面に基づいて詳細に説明する。なお、この実施の形態によりこの発明が限定されるものではない。また、下記実施形態における構成要素には、当業者が置換可能かつ容易なもの、あるいは実質的に同一のものが含まれる。
【００３１】
図１は、本実施形態の室外機ユニットを有する空気調和機の概略構成を示すブロック図である。図１に示す空気調和機１０は、室内機ユニット１２と、室外機ユニット１４と、操作部１６と、を有する。室内機ユニット１２は、基本的に屋内に設置されており、屋内に温度や湿度を調整した空気を供給し、冷房、暖房、除湿等を行う。室外機ユニット１４は、基本的に屋外に設置されており、室内機ユニット１２と接続されている。室外機ユニット１４は、冷媒（熱媒）を加熱または冷却して、室内機ユニット１２との間で冷媒（熱媒）を循環させることで、室内機ユニット１２での冷房機能、暖房機能、除湿機能を実現させる。操作部１６は、利用者が操作を入力する機器である。操作部１６は、移動可能な端末または壁等に設置された端末である。操作部１６は、冷房、乾燥、除湿、暖房等のモードや、設定温度、風量、風向、始動タイマ、停止タイマ等の種々の操作を入力することができる機器である。操作部１６は、入力された操作を室内機ユニット１２、室外機ユニット１４に無線または有線の通信で送信する。
【００３２】
次に、室外機ユニット１４の各部について説明する。室外機ユニット１４は、図１に示すように、筐体２０と、熱交換器２１と、ファンモータ２２と、圧縮機２３と、コントローラ２４と、温度センサ２６と、を有する。なお、室外機ユニット１４は、上記構成に加え、膨張弁および冷媒の流れ方向を規定する四方弁等、室外機ユニットが一般的に備えている各部を備えている。
【００３３】
筐体２０は、室外機ユニット１４の各部を収納する箱である。筐体２０は、外気が流入する通風口が形成され、内部に外気が流入し、内部の空気を外部に排出可能となっている。
【００３４】
熱交換器２１は、空気と冷媒との間で熱交換を行う。熱交換器２１は、例えば、周囲に多数のコルゲートフィンを備え、冷媒が流れる冷媒配管を有する。熱交換器２１は、冷媒配管の周囲の室外気と冷媒との熱交換を実現させる。
【００３５】
ファンモータ２２は、ファンがついた回転機器であり、回転することで、筐体２０の内部と外部との空気の交換を促進させる。例えば、ファンモータ２２は、ファンモータ側制御部３０を有する。ファンモータ側制御部３０は、コントローラ２４から入力される制御値を、各種情報、ファンモータ２２の状態に基づいて、ファンモータ２２の動作を制御する。また、ファンモータ側制御部３０については、後述する。圧縮機２３は、低温低圧の気体冷媒を高温高圧の気体冷媒に変換して吐出する。
【００３６】
コントローラ２４は、室外機ユニット１４の各部の動作を制御する。コントローラ２４は、パワーデバイス４０と、制御基板４２と、を有する。パワーデバイス４０は、整流ダイオード、パワートランジスタ（パワーＭＯＳＦＥＴ、絶縁ゲートバイポーラトランジスタ（ＩＧＢＴ））、サイリスタ、ゲートターンオフサイリスタ（ＧＴＯ）、トライアック等の電力制御用の素子を有し、パワーデバイス４０は、ファンモータ２２及び圧縮機２３等に供給する電力を制御する。パワーデバイス４０には、放熱フィン４４が設けられている。パワーデバイス４０は、発生した熱を放熱フィン４４に伝達し、放熱する。
【００３７】
制御基板４２は、パワーデバイス５０と、ファンモータ制御部５２と、圧縮機制御部５４と、を有する。パワーデバイス５０は、電力制御用の素子を有し、パワーデバイス５０は、制御基板４２の各部に供給する電力を制御する。パワーデバイス５０には、放熱フィン５６が設けられている。パワーデバイス５０は、発生した熱を放熱フィン５６に伝達し、放熱する。
【００３８】
ファンモータ制御部５２は、各種運転条件に基づいて、ファンモータに必要な回転数を算出し、算出したモータの回転数を指令値として、ファンモータ２２に送る。図２は、ファンモータの回転の制御の一例を説明するための説明図である。ここで、ファンモータ２２は、図２に示すよう、ファンタップを切り換えることで、回転数を多段に変速できる。本実施形態では、７段階で変速可能であり、１速が２００ｒｐｍ、２速が３９０ｒｐｍ、３速が５６０ｒｐｍ、４速が８３０ｒｐｍ、５速が８７０ｒｐｍ、６速が９１０ｒｐｍ、７速が９５０ｒｐｍ、となる。ファンモータ制御部５２は、１速から７速または停止のいずれかで運転を行うかを決定し、決定した変速の段階を指令値としてファンモータ２２に送る。
【００３９】
圧縮機制御部５４は、圧縮機２３の動作を制御する。具体的には、圧縮機２３の回転数を制御し、圧縮機２３で冷媒に対して行われる仕事を制御する。圧縮機制御部５４の制御動作については後述する。
【００４０】
また、コントローラ２４は、パワーデバイス４０の温度を検出するサーミスタ６２と、パワーデバイス６２の温度を検出するサーミスタ６４とを有する。サーミスタ６２、６４は、検出した結果をファンモータ側制御部３０に送る。なお、コントローラ２４は、パワーデバイス４０、５０の温度を検出できればよく、サーミスタ以外の温度検出素子を用いてもよい。
【００４１】
ファンモータ側制御部３０は、過負荷保護部３２を有する。過負荷保護部３２は、回路であり、ファンモータ２２に供給される電流や、サーミスタ６２、６４で検出したパワーデバイス４０、５０の温度に基づいてファンモータ２２の回転を制御する。具体的には、負荷が大きいと判定した場合、ファンモータ２２に供給する電流を低減し、ファンモータ２２の負荷を小さくする過負荷保護動作を実行させる。過負荷保護部３２は、例えば、ファンモータ２２に流れる電流が過電流設定値、本実施形態では２Ａを超えた場合に過負荷保護動作を実行させる。過負荷保護部３２は、例えば、サーミスタ６２、６４で検出した温度が８０℃を超えた場合、過負荷保護動作を実行させる。過負荷保護部３２は、過負荷保護動作としては、ファンモータ２２の回転数を１００ｒｐｍ下げる動作や、ファンモータ２２の回転数の最大能力に対して、１０％下げる動作が例示される。なお、数値は一例である。また、過負荷保護部３２は、ファンモータ２２の電流が過電流設定値以下となった場合、また、サーミスタで検出した温度が８０℃以下になった場合、過負荷保護動作を解除する。
【００４２】
また、過負荷保護部３２は、サーミスタで検出した温度に基づいて、過電流制御値を下げるようにしてもよい。図３は、サーミスタ温度と過電流制御値との関係を示すグラフである。過負荷保護部３２は、図３に示すように、サーミスタ温度が高くなるほど、過電流制御値、つまり過負荷保護動作を実行する基準の電流値を下げるようにしてもよい。図４は、低下回転数、低下能力（最大能力対比低下率）と過電流制御値との関係を示すグラフである。過負荷保護部３２は、図３に示す関係で制御を行うと、過電流制限値が低下することにより、図４に示すように、ファンモータ回転数が低下し、ファンモータの最大能力と対比した場合のファンモータ２２の能力（回転数）が低下する。
【００４３】
温度センサ２６は、筐体２０の外に配置され、室外機ユニット１４が設置されている雰囲気の温度を検出する。なお、温度センサ２６は、筐体２０の吸気穴となる開口に設けることが好ましい。温度センサ２６は、検出した室外気（外温）の情報をコントローラ２４に送る。
【００４４】
次に、図５を用いて、コントローラ２４の圧縮機制御部５４による制御動作の一例について説明する。図５は、圧縮機制御部の制御動作の一例を示すフローチャートである。図５は、圧縮機の性能（回転数）を制限する処理を実行するかを判定し、判定結果に基づいて処理を実行する動作を示している。
【００４５】
圧縮機制御部５４は、冷房モード（冷房運転）または除湿モード（除湿運転）で運転しているかを判定する（ステップＳ１２）。圧縮機制御部５４は、冷房モードまたは除湿モードで運転していない（ステップＳ１２でＮｏ）と判定した場合、ステップＳ２８に進む。
【００４６】
圧縮機制御部５４は、冷房モードまたは除湿モードで運転している（ステップＳ１２でＹｅｓ）と判定した場合、外温が４０℃以上であるかを判定する（ステップＳ１４）。圧縮機制御部５４は、温度センサ２６で検出した温度に基づいて外温、つまり室外機ユニット１４が設置されている雰囲気の温度を検出する。ここで、本実施形態の外温の基準温度の４０℃は、一例であり、温度は任意の温度に設定することができる。基準温度は、パワーデバイス４０、５０の発熱が問題となる恐れがあると判断できる温度である。圧縮機制御部５４は、外温が４０℃未満である（ステップＳ１４でＮｏ）と判定した場合、ステップＳ２８に進む。
【００４７】
圧縮機制御部５４は、外温が４０℃以上である（ステップＳ１４でＹｅｓ）と判定した場合、ファンモータが６速以上であるかを判定する（ステップＳ１６）。具体的には、圧縮機制御部５４は、ファンモータ制御部５２からファンモータ２２に送られる指令値が６速以上（本実施形態では、６速または７速）であるかを判定する。ここで、本実施形態では、ファンタップで多段に設定されている多段変速の段階の６速を基準としたが、５速でも７速でもよい。また、本実施形態では、ファンタップで多段に設定されている多段変速の段階を基準としたが、回転数（設定回転数）［ｒｐｍ］を基準としてもよい。
【００４８】
圧縮機制御部５４は、ファンモータ２２が６速以上ではない（ステップＳ１６でＮｏ）、つまり指令値が５速以下であると判定した場合、ファンモータ２２の回転数が最大能力の９０％以上であるかを判定する（ステップＳ１８）。つまり具体的には、圧縮機制御部５４は、ファンモータ制御部５２から情報を取得し、ファンモータ制御部５２からファンモータ２２に送られる指令値のファンモータ２２の回転数が最大能力の９０％以上の値であるかを判定する。圧縮機制御部５４は、ファンモータ２２の回転数が最大能力の９０％以上ではない（ステップＳ１８でＮｏ）と判定した場合、ステップＳ２８に進む。
【００４９】
圧縮機制御部５４は、ファンモータ２２の回転数が最大能力の９０％以上である（ステップＳ１８でＹｅｓ）と判定した場合、５分間連続でファンモータ２２が最大能力の８８％以下で運転されているかを判定する（ステップＳ２０）。つまり、圧縮機制御部５４は、ファンモータ側制御部３０から情報を取得し、ファンモータ側制御部３０の制御により回転しているファンモータ２２の回転数を検出し、ファンモータ２２の回転数が５分間連続でファンモータ２２の最大能力の８８％以下で運転されているかを判定する。圧縮機制御部５４は、ファンモータ２２の回転数が５分間連続で最大能力の８８％以下で運転されていない（ステップＳ２０でＮｏ）と判定した場合、ステップＳ２４に進み、ファンモータ２２の回転数が５分間連続で最大能力の８８％以下で運転されている（ステップＳ２０でＹｅｓ）と判定した場合、ステップＳ２６に進む。
【００５０】
また、圧縮機制御部５４は、ファンモータ２２が６速以上である（ステップＳ１６でＹｅｓ）と判定した場合、５分間連続でファンモータ２２の回転数が（６速の回転数−３０ｒｐｍ）で運転されているかを判定する（ステップＳ２２）。つまり、圧縮機制御部５４は、ファンモータ側制御部３０から情報を取得し、ファンモータ側制御部３０の制御により回転しているファンモータ２２の回転数を検出し、ファンモータ２２の回転数が５分間連続で６速の回転数−３０ｒｐｍで運転されているかを判定する。圧縮機制御部５４は、ファンモータ２２が５分間連続で６速の回転数−３０ｒｐｍ以下で運転されていない（ステップＳ２２でＮｏ）と判定した場合、ステップＳ２４に進み、ファンモータ２２が５分間連続で６速の回転数−３０ｒｐｍで運転されている（ステップＳ２２でＹｅｓ）と判定した場合、ステップＳ２６に進む。
【００５１】
圧縮機制御部５４は、ステップＳ２０またはステップＳ２２でＮｏと判定した場合、過負荷保護処理が実行されているかを判定する（ステップＳ２４）。つまり、圧縮機制御部５４は、過負荷保護部３２により過負荷保護処理が実行されているかを判定する。圧縮機制御部５４は、過負荷保護処理が実行されている（ステップＳ２４でＹｅｓ）と判定した場合、ステップＳ２６に進み、過負荷保護処理が実行されていない（ステップＳ２４でＮｏ）と判定した場合、ステップＳ２８に進む。
【００５２】
圧縮機制御部５４は、ステップＳ２０、ステップＳ２２またはステップＳ２４でＹｅｓと判定した場合、圧縮機２３の目標回転数が１００ｒｐｓ以上であるかを判定する（ステップＳ２６）。つまり圧縮機２３が高い回転数、出力が稼働されているかを判定する。本実施形態の１００ｒｐｓは、一例である。基準とする回転数（制限回転数）は、任意に設定することができる。なお、制限回転数は、圧縮機の最大回転数の６０％以上９０％以下の値とすることが好ましい。
【００５３】
圧縮機制御部５４は、圧縮機２３の目標回転数が１００ｒｐｓ未満である（ステップＳ２６でＮｏ）と判定した場合、また、ステップＳ１２、ステップＳ１４、ステップＳ１８、ステップＳ２４でＮｏと判定した場合、現状の制御を維持し（ステップＳ２８）、本処理を終了する。
【００５４】
圧縮機制御部５４は、圧縮機２３の目標回転数が１００ｒｐｓ以上である（ステップＳ２６でＹｅｓ）と判定した場合、圧縮機２３の回転数を制限回転数（１００ｒｐｓ）まで低下させ（ステップＳ３０）、本処理を終了する。
【００５５】
次に、図６を用いて、コントローラ２４の圧縮機制御部５４による制御動作の一例について説明する。図６は、圧縮機制御部の制御動作の一例を示すフローチャートである。図６は、圧縮機の性能（回転数）を制限する処理を実行している間に実行され、回転数を制限する処理を解除するかを判定し、判定結果に基づいて処理を実行する動作を示している。
【００５６】
圧縮機制御部５４は、ファンモータ２２が５速以下であるかを判定する（ステップＳ６０）。具体的には、圧縮機制御部５４は、ファンモータ制御部５２からファンモータ２２に送られる指令値が５速以下であるかを判定する。また、本実施形態では、ファンタップで多段に設定されている多段変速の段階を基準としたが、回転数（設定回転数）［ｒｐｍ］を基準としてもよい。圧縮機制御部５４は、ステップＳ１６で基準とした段階よりも低い段であればよい。
【００５７】
圧縮機制御部５４は、ファンモータ２２が５速以下である（ステップＳ６０でＹｅｓ）と判定した場合、ファンモータ２２の回転数が最大能力の８０％以下であるかを判定する（ステップＳ６２）。つまり具体的には、圧縮機制御部５４は、ファンモータ制御部５２から情報を取得し、ファンモータ制御部５２からファンモータ２２に送られる指令値のファンモータ２２の回転数が最大能力の８０％以下の値であるかを判定する。圧縮機制御部５４は、ファンモータ２２の回転数が最大能力の８０％以下である（ステップＳ６２でＹｅｓ）と判定した場合、ステップＳ８２に進む。
【００５８】
圧縮機制御部５４は、ファンモータ２２の回転数が最大能力の８０％以下ではない（ステップＳ６２でＮｏ）と判定した場合、圧縮機２３の目標回転数が１００ｒｐｓ以下であるかを判定する（ステップ６４）。ここで、１００ｒｐｓは、ステップＳ２６の基準となる制限回転数と同じ回転数である。圧縮機制御部５４は、圧縮機の目標回転数が１００ｒｐｓ以下である（ステップＳ６４でＹｅｓ）と判定した場合、ステップＳ８２に進む。
【００５９】
圧縮機制御部５４は、圧縮機２３の目標回転数が１００ｒｐｓ以下ではない（ステップＳ６４でＮｏ）と判定した場合、圧縮機２３が停止しているかを判定する（ステップＳ６６）。圧縮機制御部５４は、圧縮機２３が停止している（ステップＳ６６でＹｅｓ）と判定した場合、ステップＳ８２に進む。
【００６０】
圧縮機制御部５４は、圧縮機２３が停止していない（ステップＳ６６でＮｏ）と判定した場合、５分間連続でファンモータ２２の回転数が最大能力の８９％以上で運転されているかを判定する（ステップＳ６８）。つまり、圧縮機制御部５４は、ファンモータ側制御部３０から情報を取得し、ファンモータ側制御部３０の制御により回転しているファンモータ２２の回転数を検出し、ファンモータ２２の回転数が５分間連続でファンモータ２２の最大能力の８９％以上で運転されているかを判定する。圧縮機制御部５４は、ファンモータが５分間連続で最大能力の８９％以上で運転されている（ステップＳ６８でＹｅｓ）と判定した場合、ステップＳ７８に進み、ファンモータが５分間連続で最大能力の８９％以上で運転されていない（ステップＳ６８でＮｏ）と判定した場合、ステップＳ８０に進む。
【００６１】
圧縮機制御部５４は、ファンモータ２２の５速以下ではない（ステップＳ６０でＮｏ）と判定した場合、ステップＳ６４と同様に、圧縮機２３の目標回転数が１００ｒｐｓ以下であるかを判定する（ステップ７２）。圧縮機制御部５４は、圧縮機の目標回転数が１００ｒｐｓ以下である（ステップＳ７４でＹｅｓ）と判定した場合、ステップＳ８２に進む。
【００６２】
圧縮機制御部５４は、圧縮機の目標回転数が１００ｒｐｓ以下ではない（ステップＳ７２でＮｏ）と判定した場合、ステップＳ６６と同様に、圧縮機２３が停止しているかを判定する（ステップＳ７４）。圧縮機制御部５４は、圧縮機２３が停止している（ステップＳ７４でＹｅｓ）と判定した場合、ステップＳ８２に進む。
【００６３】
圧縮機制御部５４は、圧縮機２３が停止していない（ステップＳ７４でＮｏ）と判定した場合、５分間連続でファンモータの回転数が（６速−１０ｒｐｍ）以上で運転されているかを判定する（ステップＳ７６）。つまり、圧縮機制御部５４は、ファンモータ側制御部３０から情報を取得し、ファンモータ側制御部３０の制御により回転しているファンモータ２２の回転数を検出し、ファンモータ２２の回転数が５分間連続で（６速−１０ｒｐｍ）以上で運転されているかを判定する。圧縮機制御部５４は、ファンモータ２２の回転数が５分間連続で（６速−１０ｒｐｍ）以上で運転されている（ステップＳ７６でＹｅｓ）と判定した場合、ステップＳ７８に進み、ファンモータ２２の回転数が５分間連続で（６速−１０ｒｐｓ）以上で運転されていない（ステップＳ７６でＮｏ）と判定した場合、ステップＳ８０に進む。
【００６４】
圧縮機制御部５４は、ステップＳ６８またはステップＳ７６でＹｅｓと判定した場合、過負荷保護処理が解除されているかを判定する（ステップＳ７８）。つまり、圧縮機制御部５４は、過負荷保護部３２により過負荷保護処理が解除されているかを判定する。圧縮機制御部５４は、過負荷保護処理が実行されていない（ステップＳ７８でＮｏ）と判定した場合、ステップＳ８０に進み、過負荷保護処理が解除されている（ステップＳ７８でＹｅｓ）と判定した場合、ステップＳ８２に進む。
【００６５】
圧縮機制御部５４は、ステップＳ６８、ステップＳ７６、ステップＳ７８でＮｏと判定した場合、現状の制限を維持し（ステップＳ８０）、本処理を終了する。つまり圧縮機２３の回転数を制限回転数以下に維持する。圧縮機制御部５４は、ステップＳ６２、ステップＳ６４、ステップＳ６６、ステップＳ７２、ステップＳ７４、ステップＳ７８でＹｅｓと判定した場合、制御を解除し（ステップＳ８２）、本処理を終了する。つまり圧縮機２３の回転数の制限を解除する。
【００６６】
室外機ユニット１４は、図５及び図６に示す処理を行う判定を行うことで、ファンモータ２２と圧縮機２３の状態を適切に検出し、圧縮機２３の動作を制御することができる。つまり、少なくともファンモータの回転数（最大出力に対する出力の割合）、ファンモータ２２の指令値と実際の回転数のずれ（出力の割合のずれ）及び圧縮機２３の回転数とが条件を満たす場合、圧縮機２３の回転数を下げることで、室外機ユニット１４のパワーデバイスの発熱を適切に抑制することができる。
【００６７】
また、過負荷保護部３２の過負荷保護動作が作動する前また前後して図５に示す動作を実行し、圧縮機２３の回転数を低減させ、パワーデバイスの発熱を抑制させることで、過負荷保護部３２で高精度な保護を行う必要が無くなる。これにより温度を高精度に検出しなくても高精度な制御を行うことができるため、サーミスタの性能を低くしても高精度な制御を行うことができる。また、過負荷保護部３２の過負荷保護動作により、ファンモータ２２の回転数が低下し、ファンモータ制御部５２からの指令値の回転数とのずれが発生した場合も、圧縮機２３の回転を低下させ、パワーデバイスの温度を迅速に下げることができるため、実際のファンモータ２２の回転数と、指令値の回転数との差が大きくなることを抑制できる。また、通常運転時の圧縮機２３の能力を制限する必要もないため、室外機ユニット１４の能力を高く維持できる。以上より、室外機ユニット１４は、性能を維持しつつ、安定した運転を行うことができる。また、室外機ユニット１４は、図６に示すように各種条件に基づいて、圧縮機２３の回転数の制限を解除することで、通常の運転状態に迅速に復帰させることができる。これにより、パワーデバイスの保護しつつ、運転能力を高くすることができる。
【００６８】
また、図５に示す処理では冷房モードまたは除湿モードで運転しているかを判定することで、パワーデバイスの温度が上昇やすい運転状況であるかを好適に判定することができ、圧縮機の性能を低下させる基準をより適切にすることができる。室外機ユニット１４は、上記効果を得ることができるため判定することが好ましいが、冷房モードまたは除湿モードで運転しているかの判定を行わなくてもよい。
【００６９】
また、図５に示す処理では外温が高いかを判定することで、パワーデバイスの温度が少々しやすい環境であるかを好適に判定することができ、圧縮機２３の性能を低下させる基準をより適切にすることができる。室外機ユニット１４は、上記効果を得ることができるため判定することが好ましいが、外温が高いかの判定を行わなくてもよい。
【００７０】
また、上記実施形態では、ファンモータ２２が１つの場合として説明したが、室外機ユニット１４は、ファンモータ２２を複数備えていてもよい。室外機ユニット１４は、ファンモータ２２を複数備える場合、少なくとも１つが上記の条件を満たした場合、圧縮機２２の回転数を低減させることが好ましい。
【００７１】
ここで、図５及び図６の処理では、複数の基準を用いて圧縮機２２の回転数を制限するか解除するかを判定したが、図５及び図６の一部の基準のみを用いてもよい。以下、図７から図１２を用いて、他の処理動作について説明する。図７から図１２は、それぞれ室外機ユニットの制御動作の一例を示すフローチャートである。図７から図１２に示す処理動作の各ステップの処理は、基本的に図５または図６の処理と同様であるので、各処理には同じステップの番号を付して詳細な説明を省略し、処理の流れを説明する。
【００７２】
図７及び図８を用いて他の例を説明する。図７は、圧縮機の性能（回転数）を制限する処理を実行するかを判定し、判定結果に基づいて処理を実行する動作の他の例を示している。
【００７３】
圧縮機制御部５４は、ファンモータ２２が６速以上であるかを判定する（ステップＳ１６）。圧縮機制御部５４は、ファンモータ２２が６速以上ではない（ステップＳ１６でＮｏ）、つまり指令値が５速以下であると判定した場合、ステップＳ２６に進む。
【００７４】
また、圧縮機制御部５４は、ファンモータ２２が６速以上である（ステップＳ１６でＹｅｓ）と判定した場合、５分間連続でファンモータ２２の回転数が（６速の回転数−３０ｒｐｍ）で運転されているかを判定する（ステップＳ２２）。圧縮機制御部５４は、ファンモータ２２が５分間連続で６速の回転数−３０ｒｐｍ以下で運転されていない（ステップＳ２２でＮｏ）と判定した場合、ステップＳ２８に進み、ファンモータ２２が５分間連続で６速の回転数−３０ｒｐｍで運転されている（ステップＳ２２でＹｅｓ）と判定した場合、ステップＳ２６に進む。
【００７５】
圧縮機制御部５４は、ステップＳ２２でＹｅｓと判定した場合、圧縮機の目標回転数が１００ｒｐｓ以上であるかを判定する（ステップＳ２６）。圧縮機制御部５４は、圧縮機の目標回転数が１００ｒｐｓ未満である（ステップＳ２６でＮｏ）と判定した場合、また、ステップＳ２２でＮｏと判定した場合、現状の制御を維持し（ステップＳ２８）、本処理を終了する。
【００７６】
圧縮機制御部５４は、圧縮機２３の目標回転数が１００ｒｐｓ以上である（ステップＳ２６でＹｅｓ）と判定した場合、圧縮機２３の回転数を制限回転数（１００ｒｐｓ）まで低下させ（ステップＳ３０）、本処理を終了する。
【００７７】
図８に示す処理動作は、圧縮機２３の性能（回転数）を制限する処理を実行している間に実行され、回転数を制限する処理を解除するかを判定し、判定結果に基づいて処理を実行する動作の他の例を示している。
【００７８】
圧縮機制御部５４は、ファンモータ２２が５速以下であるかを判定する（ステップＳ６０）。圧縮機制御部５４は、ファンモータ２２が５速以下である（ステップＳ６０でＹｅｓ）と判定した場合、ステップＳ８２に進む。
【００７９】
圧縮機制御部５４は、ファンモータ２２の５速以下ではない（ステップＳ６０でＮｏ）と判定した場合、圧縮機２３の目標回転数が１００ｒｐｓ以下であるかを判定する（ステップ７２）。圧縮機制御部５４は、圧縮機２３の目標回転数が１００ｒｐｓ以下である（ステップＳ６４でＹｅｓ）と判定した場合、ステップＳ８２に進む。
【００８０】
圧縮機制御部５４は、圧縮機２３の目標回転数が１００ｒｐｓ以下ではない（ステップＳ７２でＮｏ）と判定した場合、圧縮機２３が停止しているかを判定する（ステップＳ７４）。圧縮機制御部５４は、圧縮機２３が停止している（ステップＳ７４でＹｅｓ）と判定した場合、ステップＳ８２に進む。
【００８１】
圧縮機制御部５４は、圧縮機２３が停止していない（ステップＳ７４でＮｏ）と判定した場合、５分間連続でファンモータ２２の回転数が（６速−１０ｒｐｍ）以上で運転されているかを判定する（ステップＳ７６）。圧縮機制御部５４は、ファンモータ２２の回転数が５分間連続で（６速−１０ｒｐｍ）以上で運転されている（ステップＳ７６でＹｅｓ）と判定した場合、ステップＳ８２に進み、ファンモータ２２の回転数が５分間連続で（６速−１０ｒｐｍ）以上で運転されていない（ステップＳ７６でＮｏ）と判定した場合、ステップＳ８０に進む。
【００８２】
圧縮機制御部５４は、ステップＳ７６でＮｏと判定した場合、現状の制限を維持し（ステップＳ８０）、本処理を終了する。圧縮機制御部５４は、ステップＳ６０、ステップＳ７２、ステップＳ７４でＹｅｓと判定した場合、制御を解除し（ステップＳ８２）、本処理を終了する。
【００８３】
室外機ユニット１４は、図７及び図８に示すように、回転数の数値を基準として判定を行うことで、ファンモータ２２と圧縮機２３の状態を適切に検出し、圧縮機２３の動作を制御することができる。これにより、室外機ユニット１４のパワーデバイスの発熱を適切に抑制することができ、性能を維持しつつ、安定した運転を行うことができる。
【００８４】
次に、図９及び図１０を用いて他の例を説明する。図９は、圧縮機２３の性能（回転数）を制限する処理を実行するかを判定し、判定結果に基づいて処理を実行する動作を示している。
【００８５】
圧縮機制御部５４は、ファンモータ２２の回転数が最大能力の９０％以上であるかを判定する（ステップＳ１８）。圧縮機制御部５４は、ファンモータ２２の回転数が最大能力の９０％以上ではない（ステップＳ１８でＮｏ）と判定した場合、ステップＳ２８に進む。
【００８６】
圧縮機制御部５４は、ファンモータ２２の回転数が最大能力の９０％以上である（ステップＳ１８でＹｅｓ）と判定した場合、５分間連続でファンモータ２２の回転数が最大能力の８８％以下で運転されているかを判定する（ステップＳ２０）。つまり、圧縮機制御部５４は、ファンモータ側制御部３０から情報を取得し、ファンモータ側制御部３０の制御により回転しているファンモータ２２の回転数を検出し、ファンモータ２２の回転数が５分間連続で最大能力の８８％以下で運転されているかを判定する。圧縮機制御部５４は、ファンモータ２２の回転数が５分間連続で最大能力の８８％以下で運転されていない（ステップＳ２０でＮｏ）と判定した場合、ステップＳ２８に進み、ファンモータ２２の回転数が５分間連続で最大能力の８８％以下で運転されている（ステップＳ２０でＹｅｓ）と判定した場合、ステップＳ２６に進む。
【００８７】
圧縮機制御部５４は、ステップＳ２０でＹｅｓと判定した場合、圧縮機２３の目標回転数が１００ｒｐｓ以上であるかを判定する（ステップＳ２６）。圧縮機制御部５４は、圧縮機２３の目標回転数が１００ｒｐｓ未満である（ステップＳ２６でＮｏ）と判定した場合、また、ステップＳ２０でＮｏと判定した場合、現状の制御を維持し（ステップＳ２８）、本処理を終了する。
【００８８】
圧縮機制御部５４は、圧縮機２３の目標回転数が１００ｒｐｓ以上である（ステップＳ２６でＹｅｓ）と判定した場合、圧縮機２３の回転数を制限回転数（１００ｒｐｓ）まで低下させ（ステップＳ３０）、本処理を終了する。
【００８９】
次に、図１０は、圧縮機２３の性能（回転数）を制限する処理を実行している間に実行され、回転数を制限する処理を解除するかを判定し、判定結果に基づいて処理を実行する動作を示している。
【００９０】
圧縮機制御部５４は、ファンモータ２２の回転数が最大能力の８０％以下であるかを判定する（ステップＳ６２）。圧縮機制御部５４は、ファンモータ２２の回転数が最大能力の８０％以下である（ステップＳ６２でＹｅｓ）と判定した場合、ステップＳ８２に進む。
【００９１】
圧縮機制御部５４は、ファンモータ２２の回転数が最大能力の８０％以下ではない（ステップＳ６２でＮｏ）と判定した場合、圧縮機２３の目標回転数が１００ｒｐｓ以下であるかを判定する（ステップ６４）。圧縮機制御部５４は、圧縮機２３の目標回転数が１００ｒｐｓ以下である（ステップＳ６４でＹｅｓ）と判定した場合、ステップＳ８２に進む。
【００９２】
圧縮機制御部５４は、圧縮機２３の目標回転数が１００ｒｐｓ以下ではない（ステップＳ６４でＮｏ）と判定した場合、圧縮機２３が停止しているかを判定する（ステップＳ６６）。圧縮機制御部５４は、圧縮機２３が停止している（ステップＳ６６でＹｅｓ）と判定した場合、ステップＳ８２に進む。
【００９３】
圧縮機制御部５４は、圧縮機２３が停止していない（ステップＳ６６でＮｏ）と判定した場合、５分間連続でファンモータ２２の回転数が最大能力の８９％以上で運転されているかを判定する（ステップＳ６８）。圧縮機制御部５４は、ファンモータ２２の回転数が５分間連続で最大能力の８９％以上で運転されている（ステップＳ６８でＹｅｓ）と判定した場合、ステップＳ８２に進み、ファンモータ２２の回転数が５分間連続で最大能力の８９％以上で運転されていない（ステップＳ６８でＮｏ）と判定した場合、ステップＳ８０に進む。
【００９４】
圧縮機制御部５４は、ステップＳ６８でＮｏと判定した場合、現状の制限を維持し（ステップＳ８０）、本処理を終了する。圧縮機制御部５４は、ステップＳ６２、ステップＳ６４、ステップＳ６６、ステップＳ６８でＹｅｓと判定した場合、制御を解除し（ステップＳ８２）、本処理を終了する。つまり圧縮機２３の回転数の制限を解除する。
【００９５】
室外機ユニット１４は、図９及び図１０に示すように、回転数の最大能力に対する割合を基準として判定を行うことでも、ファンモータ２２と圧縮機２３の状態を適切に検出し、圧縮機２３の動作を制御することができる。これにより、室外機ユニット１４のパワーデバイスの発熱を適切に抑制することができ、性能を維持しつつ、安定した運転を行うことができる。
【００９６】
図１１は、圧縮機２３の性能（回転数）を制限する処理を実行するかを判定し、判定結果に基づいて処理を実行する動作を示している。
【００９７】
圧縮機制御部５４は、過負荷保護処理が実行されているかを判定する（ステップＳ２４）。つまり、圧縮機制御部５４は、過負荷保護部３２により過負荷保護機能が実行されているかを判定する。圧縮機制御部５４は、過負荷保護処理が実行されている（ステップＳ２４でＹｅｓ）と判定した場合、ステップＳ２６に進み、過負荷保護処理が実行されていない（ステップＳ２４でＮｏ）と判定した場合、ステップＳ２８に進む。
【００９８】
圧縮機制御部５４は、ステップＳ２４でＹｅｓと判定した場合、圧縮機２３の目標回転数が１００ｒｐｓ以上であるかを判定する（ステップＳ２６）。圧縮機制御部５４は、圧縮機２３の目標回転数が１００ｒｐｓ未満である（ステップＳ２６でＮｏ）と判定した場合、また、ステップＳ２４でＮｏと判定した場合、現状の制御を維持し（ステップＳ２８）、本処理を終了する。
【００９９】
圧縮機制御部５４は、圧縮機２３の目標回転数が１００ｒｐｓ以上である（ステップＳ２６でＹｅｓ）と判定した場合、圧縮機２３の回転数を制限回転数（１００ｒｐｓ）まで低下させ（ステップＳ３０）、本処理を終了する。
【０１００】
次に、図１２は、圧縮機２３の性能（回転数）を制限する処理を実行している間に実行され、回転数を制限する処理を解除するかを判定し、判定結果に基づいて処理を実行する動作の他の例を示している。
【０１０１】
圧縮機制御部５４は、圧縮機２３の目標回転数が１００ｒｐｓ以下であるかを判定する（ステップ７２）。圧縮機制御部５４は、圧縮機２３の目標回転数が１００ｒｐｓ以下である（ステップＳ７２でＹｅｓ）と判定した場合、ステップＳ８２に進む。
【０１０２】
圧縮機制御部５４は、圧縮機２３の目標回転数が１００ｒｐｓ以下ではない（ステップＳ７２でＮｏ）と判定した場合、過負荷保護処理が解除されているかを判定する（ステップＳ７８）。つまり、圧縮機制御部５４は、過負荷保護部３２により過負荷保護処理が解除されているかを判定する。圧縮機制御部５４は、過負荷保護処理が実行されていない（ステップＳ７８でＮｏ）と判定した場合、ステップＳ８０に進み、過負荷保護処理が解除されている（ステップＳ７８でＹｅｓ）と判定した場合、ステップＳ８２に進む。
【０１０３】
圧縮機制御部５４は、ステップＳ７８でＮｏと判定した場合、現状の制限を維持し（ステップＳ８０）、本処理を終了する。圧縮機制御部５４は、ステップＳ７８でＹｅｓと判定した場合、制御を解除し（ステップＳ８２）、本処理を終了する。つまり圧縮機２３の回転数の制限を解除する。
【０１０４】
室外機ユニット１４は、図１１及び図１２に示すように、過負荷保護動作を検出することで、ファンモータ２２と圧縮機２３の状態を適切に検出し、圧縮機２３の動作を制御することができる。これにより、室外機ユニット１４のパワーデバイスの発熱を適切に抑制することができ、性能を維持しつつ、安定した運転を行うことができる。
【符号の説明】
【０１０５】
１０  空気調和機
１２  室内機ユニット
１４  室外機ユニット
１６  操作部
２０  筐体
２１  熱交換器
２２  ファンモータ
２３  圧縮機
２４  コントローラ
２６  温度センサ
３０  ファンモータ側制御部
３２  過負荷保護部
４０、５０  パワーデバイス
４２  制御基板
４４、５６  放熱フィン
５２  ファンモータ制御部
５４  圧縮機制御部
６２、６４  サーミスタ
【図１】
0006378997.tif 000002
【図２】
0006378997.tif 000003
【図３】
0006378997.tif 000004
【図４】
0006378997.tif 000005
【図５】
0006378997.tif 000006
【図６】
0006378997.tif 000007
【図７】
0006378997.tif 000008
【図８】
0006378997.tif 000009
【図９】
0006378997.tif 000010
【図１０】
0006378997.tif 000011
【図１１】
0006378997.tif 000012
【図１２】
0006378997.tif 000013